(57)【要約】【課題】  ダイカスト機等の型締装置のタイバーに螺合するハーフナット開閉装置の改良を図る。【解決手段】  ハーフナット開閉装置１００は、固定盤２０を貫通するタイバー５０のねじ部５２に螺合する１対のハーフナット１５０を備える。ハーフナット１５０を貫通する偏芯カムシャフト１７０は、ハウジング１２０に支持される。偏芯カムシャフト１７０は大径ギヤ１１８に連結され、大径ギヤ１１８は、小径ギヤ１１６に噛合う。小径ギヤ１１６は、モータ１１０により駆動され、偏芯カムシャフト１７０によりハーフナット１５０は開閉される。【選択図】        図５
2005177789.tif 000002
【特許請求の範囲】
【請求項１】
固定金型を支持する固定盤と、固定盤に対向して配設される可動金型を支持する可動盤と、可動盤を駆動する駆動装置が設けられるハウジングと、固定盤と可動盤とハウジングを貫通し、固定盤とハウジングに固着されるタイバーと、タイバーの抜取装置を備える型締装置であって、
固定盤のタイバーを固定するナットを固定するハーフナットユニットを開閉するハーフナット開閉装置を備え、
ハーフナット開閉装置は、ハーフナットを開閉する偏芯カムシャフトを備える型締装置。
【請求項２】
偏芯カムシャフトに取付けられる大径ギヤと、大径ギヤに噛合う小径ギヤと、小径ギヤを駆動するモータを備える請求項１記載の型締装置。
【請求項３】
ハーフナット開閉装置は、ハーフナットを貫通する偏芯カムシャフトを回転自在に支持するハウジングと、ハーフナットに挿入される１対のガイドピンを備える請求項１又は２記載の型締装置。
【請求項４】
偏芯カムは、偏芯の位相の最下点以前にハーフナットを閉じるカムプロファイルを備える請求項１乃至３のいずれかに記載の型締装置。
【発明の詳細な説明】
【技術分野】
【０００１】
本発明は、ダイカスト装置や樹脂成型装置のような金型の型締装置に関し、特に、タイバーの抜き出しを容易にするハーフナット開閉装置を備えた型締装置に関する。
【背景技術】
【０００２】
型締装置は、固定金型を支持する固定盤に対して、可動金型を支持する可動盤を対向して摺動させて、金型の開閉を行う。可動盤は、油圧シリンダやトグル機構により駆動されるが、可動盤を案内するタイバーを備えて型締の精度と型締圧力の反力を吸収する剛性を確保している。
【０００３】
タイバーは、通常金型の上下に左右１本づつ、合計４本装備される。
金型は、４本のタイバーで囲まれた構造を有するので、金型の交換時には、金型の上部に配置される２本のタイバーを固定盤から引き抜く構造が採用されている。
例えば、下記の各特許文献１，２は、このタイバーを抜き取ったり、差し込むタイバー抜取り装置を開示している。
【０００４】
タイバーの固定盤側の固定装置としては、通常はナット装置が使用されている。下記の特許文献３，４は、このタイバーの引抜き時に、タイバーを固定しているハーフナット装置を分割して、タイバーを迅速に引抜く手段を開示している。
【特許文献１】特開２０００−５２３５３号公報
【特許文献２】特開２０００−２１１０００号公報
【特許文献３】特開平９−５７８０３号公報
【特許文献４】特開２００２−１１７２４号公報
【発明の開示】
【発明が解決しようとする課題】
【０００５】
本発明は、構造をより簡素化したタイバー固定ナットの分割装置を備えた型締装置を提供することを目的とする。
【課題を解決するための手段】
【０００６】
上記目的を達成するために、本発明の型締装置は、基本的手段として固定金型を支持する固定盤と、固定盤に対向して配設される可動金型を支持する可動盤と、可動盤を駆動する駆動装置が設けられるハウジングと、固定盤と可動盤とハウジングを貫通し、固定盤とハウジングに固着されるタイバーと、タイバーの抜取装置を備える。
【０００７】
そして、固定盤のタイバーを固定するナットを固定するハーフナットユニットを開閉するハーフナット開閉装置を備え、ハーフナット開閉装置は、ハーフナットを開閉する偏芯カムシャフトを備えるものである。
【０００８】
また、偏芯カムシャフトに取付けられる大径ギヤと、大径ギヤに噛合う小径ギヤと、小径ギヤを駆動するモータを備える。
【０００９】
さらに、ハーフナット開閉装置は、ハーフナットを貫通する偏芯カムシャフトを回転自在に支持するハウジングと、ハーフナットに挿入される１対のガイドピンを備え、偏芯カムは、偏芯の位相の最下点以前にハーフナットを閉じるカムプロファイルを備えるものである。
【発明の効果】
【００１０】
本発明の型締装置は以上のように、ハーフナットユニットの開閉を行う機構を簡素化し、タイバーの抜取工程を短縮する効果を有する。
【発明を実施するための最良の形態】
【００１１】
図１は、本発明の型締装置の正面図、図２（ａ）は右側面図、図２（ｂ）は左側面図である。
全体を符号１で示す型締装置は、ベッド１０と、ベッド１０上の一側端部に立設される固定盤２０を備える。固定盤２０には、固定金型Ｍ１が取付けられる。ベッド１０上の固定盤２０とは反端側の端部には、ハウジング３０が配設される。
【００１２】
ハウジング３０は、後述する可動盤の駆動装置を装備する。
固定盤２０とハウジング３０の間には、可動盤６０が固定盤２０に対して離接自在に配設される。
この可動盤６０には、可動金型Ｍ２が取付けられ、固定金型Ｍ１との間で成型金型を形成する。
【００１３】
固定盤２０、可動盤６０、ハウジング３０を貫通して上下左右に配設される４本のタイバー５０が装備される。固定盤２０の下部に配設される２本のタイバー５０は、そのねじ部５２に螺合されるナット部材２２で固定される。
固定盤２０の上部に配設される２本のタイバー５０は、ハーフナットユニット２４で固定される。
ハーフナットユニット２４は、いわゆる半割ナット構造を有し、後述するハーフナット開閉装置１００により開閉される。
【００１４】
ハウジング３０の下部に配設される２本のタイバー５０は、そのねじ部５４に螺合されるナット部材３２で固定される。
ハウジング３０の上部に配設される２本のタイバー５０は、ナット部材３４で固定される。
【００１５】
ハウジング３０の中心部に装備される駆動装置４０は、油圧によりピストンロッド４２を駆動する。ハウジング３０と可動盤６０の間に装備されるトグル機構７０はこのピストンロッド４２により駆動され、可動盤６０を固定盤２０に対して型締する。可動盤６０は、ガイドホイール６２等を備え、ベッド２０上をスムーズに移動する。
【００１６】
図２（ｂ）に示すように、ハウジング３０にはモータ９２で駆動されるリングギヤ９０が装備される。リングギヤ９０は、タイバー５０に螺合された４個のナット部材に取付けられた４個のギヤ３２Ｇ，３４Ｇに噛合う。
この４個のギヤ３２Ｇ，３４Ｇを回動させることによって、タイバー５０のねじ部５４のリードに対応して、ハウジング３０は、支持機構３１を介して固定盤２０との間の距離が変更される。
この機構により、成型金型Ｍ１，Ｍ２の型厚を調整することができる。
【００１７】
ハウジング３０の上部には、タイバーを引き出したり、差し込むためのタイバー抜取装置８０が装備される。このタイバー抜取装置８０は、油圧で駆動されるピストンロッド８１を有し、ピストンロッド８１は、連結部材８２を介して上部の２本のタイバー５０の端部に連結される。
ハウジング３０の上部に配設される２個のナット部材３４は、ナット保持装置３６により解放可能に保持される。
【００１８】
図３は、型締状態を示す正面図である。
駆動装置４０のピストンロッド４２は伸長し、トグル機構７０を駆動して可動盤の可動金型Ｍ２を固定盤２０の固定金型Ｍ１に対して型締され、ダイカスト等の成型が行われる。
【００１９】
図４は、型締装置１の金型Ｍの交換時の状態を示す正面図である。
型締装置１の上部の２本のタイバー５０を固定している固定盤２０側の２組のハーフナットユニット２４は、ハーフナット開閉装置１００により開放され、タイバー５０のねじ部５２の螺合が外される。
この状態で、タイバー抜取装置８０が駆動され、ピストンロッド８１が伸長して２本のタイバー５０を固定盤２０から抜取り、ハウジング３０側へ移動させる。
このタイバー５０の抜取りにより、金型Ｍの上部が開放され、金型Ｍの交換が行われる。
【００２０】
図５は、ハーフナット開閉装置１００の詳細を示す正面図（ａ）と、右側面（ｂ）である。
全体を符号１００で示すハーフナット開閉装置は、固定盤２０の上部に配設されるモータ１１０を有し、モータ１１０の出力軸に取付けられたスプロケット１１１は、タイミングベルトやチェーン等の動力伝達部材１１２を介してスプロケット１１４を駆動する。
【００２１】
スプロケット１１４を同軸上に配置された小径ギヤ１１６は、１対の大径ギヤ１１８に噛合う２個の大径ギヤ１１８は、ハーフナットユニット２４を構成する１対のハーフナット１５０に挿入される偏芯カムシャフト１７０を回動させる。
偏芯カムシャフト１７０の軸部はハウジング１２０に支持される。
ハウジング１２０は回転自在ではあるが、軸方向の移動は規制される。また、ハウジング１２０の回転量は、規制部材１８０で規制される。
【００２２】
図６は、偏芯カムシャフトの構造と、偏芯カムシャフトの回転によりハーフナットが開閉する作用を示す説明図、図７の（ａ）は、ハーフナットユニットの構造を示し、（ｂ）は部品を分解して示す図である。
ハーフナットユニット２４は、ハウジング１２０を有し、ハウジング１２０内に１対のハーフナット１５０が対向して配設される。
ハーフナット１５０の内周部には、タイバー５０のねじ部５２に螺合する内ねじ部１５２が形成される。
【００２３】
偏芯カムシャフト１７０は、中央に形成される偏芯カム部１７２と、偏芯カム部１７２の両側に形成される軸部１７４を有する。軸部１７４の軸線に対して偏芯カム部１７２の軸線は、偏芯して形成される。
偏芯カムシャフト１７０の軸部１７４は、ハウジング１２０で軸支され、偏芯カム部１７２は、ハーフナット１５０の軸受穴１５４に挿入される。
【００２４】
ハーフナット１５０は、ガイド穴１５６を有し、１対のガイドシャフト１６０が挿入される。このガイドシャフト１６０は、ハーフナット１５０の開閉を円滑にする機能を有する。
この場合は、モータ２１０を逆回転させてハーフナット１５０を開く動作を行う。
【００２５】
図８は、ハーフナット開閉装置１００の動作を示す説明図である。
図の（ａ）は、ハーフナット１５０が閉じた状態を示す。図の（ｂ）は、モータ１１０が回転し、偏芯カム１７０の作用によって、ハーフナット１５０が互いに開き始めた状態を示す。
【００２６】
図の（ｃ）は、偏芯カム１７０が１８０度回転し、ハーフナット１５０が互いに最も離れた状態を示す。この状態にあっては、ハーフナット１５０の内ねじ部１５２は、タイバー５０の外ねじ部５２から離脱し、タイバー５０を抜取ることができる。タイバー５０に対してハーフナット１５０を係合するのには、この逆の工程を行う。
この装置は、以上のように簡単な構造によってハーフナットの開閉の高速化を達成することができる。
【００２７】
図９は、本発明の他の実施例を示す説明図である。
全体を符号２００で示すハーフナット開閉装置は、前述した実施例と同様に、ハウジング１２０内にハーフナット１５０を有し、偏芯カム１７０で開閉される。
【００２８】
モータ２１０は、減速機２２０を介して小径ギヤ２３０を駆動する。小径ギヤ２３０に噛合う大径ギヤ２４０は、偏芯カム１７０を回動させてハーフナット１５０を開閉する。
【００２９】
偏芯カムのプロファイルを変更して、ハーフナット１５０を完全に閉じても、偏芯カムの位相は最下点に達しない構造にしておけば、図の（ｃ）に示すように、モータ２１０の回転を継続することにより、ハウジング１２０全体が矢印Ｒ１方向に回動して、ハーフナット１５０によるタイバー５０のねじ部へ増し締めを行うことも可能となる。
この際に、タイバー５０がハーフナット１５０により締め込まれる際に、タイバー５０の軸方向の移動は規制される。
【図面の簡単な説明】
【００３０】
【図１】本発明の型締装置の正面図。
【図２】本発明の型締装置の（ａ）は右側面図、（ｂ）は左側面図。
【図３】型締状態を示す正面図。
【図４】金型の交換時の状態を示す正面図。
【図５】ハーフナット開閉装置の（ａ）は正面図、（ｂ）は右側面図。
【図６】ハーフナット開閉装置の部品図。
【図７】ハーフナット開閉装置の部品図。
【図８】ハーフナット開閉装置の動作を示す説明図。
【図９】本発明の他の実施例を示す説明図。
【符号の説明】
【００３１】
１  型締装置
１０  ベース
２０  固定盤
３０  ハウジング
４０  駆動装置
５０  タイバー
６０  可動盤
７０  トグル機構
８０  タイバー抜取装置
１００  ハーフナット開閉装置
１１０  モータ
１１６  小径ギヤ
１１８  大径ギヤ
１２０  ハウジング
１５０  ハーフナット
１７０  偏芯カムシャフト
【図１】
2005177789.tif 000003
【図２】
2005177789.tif 000004
【図３】
2005177789.tif 000005
【図４】
2005177789.tif 000006
【図５】
2005177789.tif 000007
【図６】
2005177789.tif 000008
【図７】
2005177789.tif 000009
【図８】
2005177789.tif 000010
【図９】
2005177789.tif 000011